(57)【要約】【課題】画像を記録する用紙の色や材質によって偽造追跡ドットが目立ちすぎる、あるいは解読できないという問題を解決する。用紙の種類に関わらず通常画像上では視認性を最小限に抑え、かつ偽造された有価証券などから確実に解読可能な追跡ドットを付加することが出来る。【解決手段】プリント時に給紙される用紙に対して、プリントを行う前に紙種検知センサで用紙の表面の粒状性や用紙の色などを検知し、検知結果から用紙の特性を判定し、判定した用紙の特性に応じて付加する偽造追跡ドットの強度を変更する。【選択図】        図１
2006039025.tif 000002
【特許請求の範囲】
【請求項１】
所定の追跡情報を生成する追跡情報生成手段と、
前記追跡情報に基づいた追跡信号を生成する追跡信号生成手段と、
入力画像信号に対して前記追跡信号を付加する追跡信号付加手段と、
記録媒体の種別を検知する記録媒体検知手段とを有し、
前記記録媒体検知手段で検知された記録媒体の種類に応じて前記追跡信号の内容を変更することを特徴とするカラー画像記録装置。
【請求項２】
請求項１において、前記記録媒体検知手段は記録媒体の表面の所定のサイズのエリアを読み込み、記録媒体の表面の凹凸を検知して記録媒体の種別を判別することを特徴とするカラー画像記録装置。
【請求項３】
請求項１において、前記記録媒体検知手段は記録媒体の表面の所定のサイズのエリアのみを読み込み、記録媒体の表面の色を検知して記録媒体の種別を判別することを特徴とするカラー画像記録装置。
【請求項４】
請求項１において、前記記録媒体検知手段で検知された記録媒体の種類に応じて前記追跡信号の付加強度を変更することを特徴とするカラー画像記録装置。
【発明の詳細な説明】
【技術分野】
【０００１】
本発明は、画像信号に基づいてカラー画像を形成するカラー画像記録装置に関するものである。
【背景技術】
【０００２】
近年、カラープリンタやカラー複写機等の画像記録装置は性能が向上することにより高画質な画像を形成することができるようになってきている。このような状況下において紙幣などの有価証券と同様の画像を形成することも可能になりつつあり、紙幣や有価証券等の偽造や著作権侵害等の問題が今後は増加していくことが考えられる。
【０００３】
これらの抑制対策として、例えば、印字されるカラー画像にその画像処理装置のシリアル番号などを示す付加信号を人間の目に識別しにくく付加する様な付加方式が知られている。
【０００４】
通常、この付加信号は画像全体に付加される。また、人間の目に識別しにくくするためにイエロー、マゼンダ、シアン、ブラックのプレーンから構成されるカラー画像にドットパターンを付加する場合には、通常はイエローのプレーンのみに付加される。
【０００５】
上述の付加を行うことにより、画像形成を禁止されているはずの画像、或いは複写が禁止されているはずの複写画像が出現した場合に、これらの画像から付加信号を抽出し、付加情報を復元することにより、これらの画像を形成した装置を特定することが可能となる。
【０００６】
また、ＯＨＴに対しては偽造が行われる可能性が少ないこと、またプロジェクタで投影された時に付加された信号が目立ってしまうため、ＯＨＴについては付加信号を付加しないことが考えられている。
【特許文献１】特開２００１−１０３２８５号公報
【発明の開示】
【発明が解決しようとする課題】
【０００７】
従来はＯＨＴ以外の反射型転写材については一律に同じ付加信号を付加していた。しかしながらプリントに使用される転写材には様々な種類の材質があり、同じ付加信号を付加しても転写や定着の条件が材質により異なるため、転写材の材質によって転写材上の付加信号の状態が大きく変わってしまう。例えばある材質の転写材には付加信号は非常に弱い強度で付加されてしまい、その転写材で偽造が行われても付加信号を抽出できなくなり、その結果として画像を形成した装置を特定することができなくなってしまう。逆にある材質の転写材には付加信号は非常に強い強度で付加されてしまい通常の画像中でも目視ではっきりと認識され、画質劣化となる。
【０００８】
また、転写材の色によっても付加信号は影響を受け、例えば黄ばみがかった転写材上にイエローで付加すると転写材の色と付加信号の区別がつきにくくなり、結果として画像を形成した装置を特定することができなくなることがある。逆に青みがかった転写材上にイエローで付加すると捕色関係になるため付加信号が目立ってしまい、画質劣化となることがある。
【０００９】
本発明は、以上の点に着目して成されたもので、画像を記録する用紙の色や材質によって偽造追跡ドットが目立ちすぎる、あるいは解読できないという問題を解決するカラー画像記録装置を提供することを目的とする。
【課題を解決するための手段】
【００１０】
上記問題を解決するために本発明のカラー画像記録装置は、
所定の追跡情報を生成する追跡情報生成手段と、
前記追跡情報に基づいた追跡信号を生成する追跡信号生成手段と、
入力画像信号に対して前記追跡信号を付加する追跡信号付加手段と、
記録媒体の種別を検知する記録媒体検知手段とを有し、
前記記録媒体検知手段で検知された記録媒体の種類に応じて前記追跡信号の内容を変更することを特徴とする。
【００１１】
さらに、上記問題を解決するために本発明のカラー画像記録装置は、
前記記録媒体検知手段は記録媒体の表面の所定のサイズのエリアを読み込み、記録媒体の表面の凹凸を検知して記録媒体の種別を判別することを特徴とする。
【００１２】
さらに、上記問題を解決するために本発明のカラー画像記録装置は、
前記記録媒体検知手段は記録媒体の表面の所定のサイズのエリアのみを読み込み、記録媒体の表面の色を検知して記録媒体の種別を判別することを特徴とする。
【００１３】
さらに、上記問題を解決するために本発明のカラー画像記録装置は、
前記記録媒体検知手段で検知された記録媒体の種類に応じて前記追跡信号の付加強度を変更することを特徴とする。
【発明の効果】
【００１４】
本発明の第１の実施例の構成によれば、搬送される転写材の表面の粒状性から紙種を検知して、検知結果によって信号付加の強度を変更することによって、紙の荒さに適した強度の信号を付加することができ、第２の実施例の構成によれば、搬送される転写材の色を検知して、検知結果によって信号付加の強度を変更することによって、紙の色に適した強度の信号を付加することができる。
【発明を実施するための最良の形態】
【００１５】
以下本発明を実施するための最良の形態を、実施例により詳しく説明する。
【実施例１】
【００１６】
図１に本発明を適用した電子写真方式のカラー画像形成装置の一例を示す。
【００１７】
図１は中間転写体２７を採用したタンデム方式のカラー画像形成装置を示す構成図である。画像形成装置は、図１に示す画像形成部と図示しない画像処理部から構成される。
【００１８】
図１を用いて、電子写真方式のカラー画像形成装置における、画像形成部の動作を説明する。画像処理部が変換した露光時間に基づいて点灯させる露光光により静電潜像を形成し、この静電潜像を現像して単色トナー像を形成し、この単色トナー像を重ね合わせて多色トナー像を形成し、この多色トナー像を転写材１１へ転写し、その転写材１１上の多色トナー像を定着させるもので、画像形成部は給紙部２１、現像色分並置したステーション毎の感光体（２２Ｙ、２２Ｍ、２２Ｃ、２２Ｋ）、一次帯電手段としての注入帯電手段（２３Ｙ、２３Ｍ、２３Ｃ、２３Ｋ）、トナーカートリッジ（２５Ｙ、２５Ｍ、２５Ｃ、２５Ｋ）、現像手段（２６Ｙ、２６Ｍ、２６Ｃ、２６Ｋ）、中間転写体２７、転写ローラ２８および定着部３０によって構成されている。
【００１９】
上記感光ドラム（感光体）２２Ｙ、２２Ｍ、２２Ｃ、２２Ｋは、アルミシリンダの外周に有機光導伝層を塗布して構成し、図示しない駆動モータの駆動力が伝達されて回転するもので、駆動モータは感光ドラム２２Ｙ、２２Ｍ、２２Ｃ、２２Ｋを画像形成動作に応じて反時計周り方向に回転させる。
【００２０】
一次帯電手段として、ステーション毎にイエロー（Ｙ）、マゼンダ（Ｍ）、シアン（Ｃ）、ブラック（Ｋ）の感光体を帯電させるための４個の注入帯電器２３Ｙ、２３Ｍ、２３Ｃ、２３Ｋを備える構成で、各注入帯電器にはスリーブ２３ＹＳ、２３ＭＳ、２３ＣＳ、２３ＫＳが備えられている。
【００２１】
感光ドラム２２Ｙ、２２Ｍ、２２Ｃ、２２Ｋへの露光光はスキャナ部２４Ｙ、２４Ｍ、２４Ｃ、２４Ｋから送られ、感光ドラム２２Ｙ、２２Ｍ、２２Ｃ、２２Ｋの表面を選択的に露光することにより、静電潜像が形成されるように構成されている。
【００２２】
現像手段として、上記静電潜像を可視化するために、ステーション毎にイエロー（Ｙ）、マゼンダ（Ｍ）、シアン（Ｃ）、ブラック（Ｋ）の現像を行う４個の現像器２６Ｙ、２６Ｍ、２６Ｃ、２６Ｋを備える構成で、各現像器には、スリーブ２６ＹＳ、２６ＭＳ、２６ＣＳ、２６ＫＳが設けられている。各々の現像器は脱着可能に取り付けられている。
【００２３】
中間転写体２７は、感光ドラム２２Ｙ、２２Ｍ、２２Ｃ、２２Ｋに接触しており、カラー画像形成時に時計周り方向に回転し、感光ドラム２２Ｙ、２２Ｍ、２２Ｃ、２２Ｋの回転に伴って回転し、単色トナー像が転写される。その後、中間転写体２７に後述する転写ローラ２８が接触して転写材１１を狭持搬送し、転写材１１に中間転写体２７上の多色トナー像が転写する。
【００２４】
転写ローラ２８は、転写材１１上に多色トナー像を転写している間、２８ａの位置で転写材１１に当接し、印字処理後は２８ｂの位置に離間する。
【００２５】
定着部３０は、転写材１１を搬送させながら、転写された多色トナー像を溶融定着させるものであり、図１に示すように転写材１１を加熱する定着ローラ３１と転写材１１を定着ローラ３１に圧接させるための加圧ローラ３２を備えている。定着ローラ３１と加圧ローラ３２は中空状に形成され、内部にそれぞれヒータ３３、３４が内蔵されている。すなわち、多色トナー像を保持した転写材１１は定着ローラ３１と加圧ローラ３２により搬送されるとともに、熱および圧力を加えられ、トナーが表面に定着される。
【００２６】
トナー像定着後の転写材１１は、その後図示しない排出ローラによって図示しない排紙トレイに排出して画像形成動作を終了する。
【００２７】
クリーニング手段２９は、中間転写体２７上に残ったトナーをクリーニングするものであり、中間転写体２７上に形成された４色の多色トナー像を転写材１１に転写した後の廃トナーは、クリーナ容器に蓄えられる。
【００２８】
４１は本実施例の紙種検知手段としての紙種検知センサ、４２、４３は搬送された転写材のガイドである。４２、４３は転写材を挟み込むように配置され、転写材のばたつきを抑える。ガイド４２、４３は図２に示すような構成になっている。
【００２９】
本実施例では、紙種検知センサは転写材の粒状性を検知するセンサであり、印字動作時に転写材の粒状性を検知し、その検知結果を基に付加信号に反映させる方法について説明する。
【００３０】
紙種検知センサ４１はガイド４２、４３に転写材がある場合は、転写材の表面を測定する。紙種検知センサ４１は発光部と受光部を併せ持つ光学式反射型エリアセンサとなっている。図３に紙種検知センサ４１の概略図を示す。
【００３１】
紙種検知センサ４１は、発光素子としてのＬＥＤ５１と電荷蓄積型センサ５２により構成される。ＬＥＤ５１は転写材１１上の検出領域に斜め４５度より光を照射し、その検出領域からの０度方向への反射光強度をエリアセンサ５２により検知する。入射角が０度、反射角が４５度の構成でも良い。
【００３２】
エリアセンサ５２は図４のような素子の並んだセンサであり、本実施例では１６×１６画素のエリアセンサとなっている。
【００３３】
紙種検知センサ４１での紙種検知処理の流れを図５に示す。まず、転写材が搬送されてくると転写材が所定の速度で搬送されている状態で３回検出領域を検出する（１１１）。次に３回の検出結果を平均化した結果、図６のようにセンサの取り付け角度の誤差や画素ごとのばらつきなどに起因する画素ごとの濃淡の特性が明らかとなり、この結果からシェーディング補正の補正テーブルを作成する（１１２）。
【００３４】
次に転写材の搬送を一時的に停止して、転写材が停止した状態で検出領域を検出する（１１３）。検出された結果に１１２で作成された補正テーブルによってシェーディング補正を行い（１１４）、２次元ＦＦＴなどの周波数変換を行う（１１５）。その後、２次元の周波数分布を周波数毎に平均化することによって１次元データにし（１１６）、図７のようなローパスフィルタをかけ（１１７）、その後全周波数成分の積分値を算出する（１１８）。
【００３５】
１１６で算出される１次元周波数データは、光沢紙などの表面が滑らかな転写材の場合には図８Ａのように極端な低周波の成分がほとんどとなり、１１７でローパスフィルタをかけた後の積分値は非常に小さくなる。
【００３６】
また、普通紙でも比較的表面のきめ細かい材質のものは図８Ｂのように高周波の成分が多くなり、ローパスフィルタをかけた後の積分値は光沢紙の場合よりもやや大きくなる。
【００３７】
さらに普通紙でも比較的表面の荒い材質のものは図８Ｃのように低周波の成分が多くなり、ローパスフィルタをかけた後の積分値は非常に大きくなる。
【００３８】
本実施例では上記積分値にしきい値１、２を設け、
積分値      ≧  しきい値１                ：Ｇｒｏｕｐ  Ａ
しきい値１  ＞  積分値    ≧  しきい値２  ：Ｇｒｏｕｐ  Ｂ
しきい値２  ＞  積分値                    ：Ｇｒｏｕｐ  Ｃ
のように積分値としきい値１，２を比較して、比較結果によってＧｒｏｕｐ  Ａ〜Ｃに分類する（１１９）。
【００３９】
以上のようにして紙種検知センサの処理が行われる。
【００４０】
次に本実施例の信号処理の流れを図９を用いて説明する。ホストコンピュータよりプリント命令が来ると、ドライバ９０１からはページ記述言語が送出され、コントローラ９１１へ入力される。ビットマップイメージを出力する時にはこのページ記述言語にビットマップデータが含まれる。コントローラ９１１内にはデコーダ９０２、バンドメモリＡ９０３、バンドメモリＢ９０４、色変換処理部９０５、γ補正部９０６、中間調処理部９０７が配置される。入力されるページ記述言語はデコーダ９０２で解釈され、ＲＧＢ各８ビットの画像データに変換される。ＲＧＢの画像データはバンドメモリへ入力される。バンドメモリはバンドメモリＡ９０３、バンドメモリＢ９０４の２つのメモリから構成されており、１つのメモリは数ライン分の画像データを格納できる。まず、先頭の所定ライン分の画像領域がバンドメモリＡ９０３へ展開され、次の所定ライン数分の画像領域がバンドメモリＢ９０４へ展開されている間にバンドメモリＡ９０３からはＲＧＢの画像データが出力される。さらに次の所定ライン数分の画像領域がバンドメモリＡ９０３に展開されている間にバンドメモリＢ９０４からはＲＧＢの画像データが出力される、といったように２つのバンドメモリに交互に画像データが展開、出力される構成となっている。バンドメモリから出力されたＲＧＢ画像データはパラレルに色変換処理部９０５へと入力され、所定の色変換処理、ＵＣＲの処理をされ、Ｍ、Ｃ、Ｙ、ＢＫの画像信号へと変換される。
【００４１】
本実施例のカラー電子写真プリンタは上述したようにＹ、Ｍ、Ｃ、ＢＫ各色１画面ずつ印字するため、色変換処理部９０５からは面順次、すなわちＭの１画面分のデータ、Ｃの１画面分のデータ、Ｙの１画面分のデータ、ＢＫの１画面分のデータの順に画像信号が時間差をおいて出力される。さらに、色変換処理部９０５からは現在出力している色を通知する色指定信号がエンジン９１２へ送られる。次にγ補正部９０６によって出力濃度曲線が最適となるように補正をかけられ、中間調処理部９０７で組織的ディザ法や誤差拡散法等の手法によって中間調処理が行われる。その後、後述する情報付加処理部９０８によって情報を付加された後にＰＷＭ処理部９０９でパルス幅変調をかけられ、Ｄ／Ａ変換された後にレーザ駆動部９１０へと入力され、印字される。一方でドライバ９０１より後述する追跡情報を構成するホストに関する各種情報をコントローラに送付し、ホスト情報格納部９１３に格納し、画像出力時に情報付加処理部９０８へ入力する。
【００４２】
次に、本実施例での情報の付加方法について説明する。本実施例での情報の付加はイエローの画素データに操作を加えることによって行う。
【００４３】
図１０に本実施例において付加する追跡情報を示す。本実施例では図１０のように画像記録装置を特定するための例えば記録装置のシリアル番号のような“個別ＩＤ”、さらにホスト情報格納部９１３より送付されるプリント時の記録装置もしくは記録装置の接続されているホストのネットワークアドレスやユーザＩＤなどの“ネットワークＩＤ”、プリントが行われた月日及び時刻を表す“プリント日時”を追跡情報として保持する。
【００４４】
図１１に本実施例の付加の例を示す。本実施例ではイエローのドット１１０１を図１１のように５つ縦に並べて１本の線とし、この線をバーコード状に並べることによって上記情報を表す。
【００４５】
情報付加処理部９０８の構成を説明する。図１２は情報付加処理部９０８のブロック図である。ＲＯＭ１２０２には記録装置の個別ＩＤが入っている。ＣＰＵ１２０１はプリント時にＲＯＭ１２０２より個別ＩＤを受信し、ＣＰＵ内のレジスタ１２０３へ格納する。さらにホスト情報格納部９１３よりネットワークＩＤ、プリント時刻などの情報を例えばシリアル通信によって取得し、ＣＰＵ内のレジスタ１２０３へ格納する。格納されたデータはスクランブルをかけられ、暗号化され、さらにドット位置情報へと変換される。
【００４６】
また、主走査カウンタ１２０４は画像信号の主走査方向のクロック信号ＶＣＬＫに従ってカウント動作を行い、付加指定処理部１２０６へ主走査方向のカウント数を通知する。副走査カウンタ１２０５は副走査方向のクロック信号ＬＣＬＫに従ってカウント動作を行い、付加指定処理部１２０６へ副走査方向のカウント数を通知する。付加指定処理部１２０６は色変換処理部９０５から通知される色指定信号がイエローを指定している時にのみ、レジスタ１２０３のドット位置情報及び主走査、副走査のカウント数を参照し、ドットを付加すべき位置になったら付加指定信号をＯＮにし、信号変換部１２０７へと入力する。ＲＯＭ１２０８内にはイエロードット１１０１の強度を表すＡ１，Ａ２，Ａ３の３つの値が保持されており、それぞれ強度小、中、大を表す。付加強度信号は前記紙種検知センサ４１で検出した結果が、Ｇｒｏｕｐ  ＡならばＡ１、Ｇｒｏｕｐ  ＢならばＡ２、Ｇｒｏｕｐ  ＣならばＡ３を指定する。信号変換部１２０７は付加指定信号がＯＮの時には同時に入力される付加強度信号によってＡ１，Ａ２，Ａ３のいずれかを選択し、入力画像データに重畳する。
【００４７】
この結果、イエロードットが強く付加されやすい“光沢紙などの表面が滑らかな転写材”には強度小で付加され、イエロードットが平均的な強度で付加される“普通紙でも比較的表面のきめ細かい材質のもの”は強度中で付加され、イエロードットが弱く付加されやすい“普通紙でも比較的表面の荒い材質のもの”は強度大で付加されることになる。
【００４８】
情報の復元時には印字された画像を、例えばスキャナなどで読み取り、イエローのプレーンのみをモニタ上に表示し、付加ドットの配置を調べ、情報を復元する。
【００４９】
以上の構成により、本発明の処理を行うことができる。なお、本実施例では周波数分布を調べることによって転写材の表面の粒状性を測定したが、濃淡のばらつきの標準偏差を算出するなどの方法を用いても良い。また、濃度を測定するのではなく、表面の陰影の影を測定するなどの方法を用いても良い。さらに、画像に付加する情報は上記に限らない。
【実施例２】
【００５０】
次に本発明を用いた別の実施例について説明する。本実施例も実施例１と同様、電子写真方式を用いたカラーＬＢＰを用いることとする。図１３に本実施例での紙種検知センサ４１の構成の一例を示す。
【００５１】
紙種検知センサ４１は、白色ＬＥＤ１３０１とＲＧＢオンチップフィルタ付き電荷蓄積型センサ１３０２ａにより構成される。白色ＬＥＤ１３０１を定着後のパッチが形成された転写材１１に対して斜め４５度より入射させ、０度方向への乱反射光強度をＲＧＢオンチップフィルタ付き電荷蓄積型センサ１３０２ａにより検知する。ＲＧＢオンチップフィルタ付き電荷蓄積型センサ１３０２ａの受光部は、１３０２ｂのようにＲＧＢが独立した画素となっている。ＲＧＢオンチップフィルタ付き電荷蓄積型センサ１３０２ａの電荷蓄積型センサは、フォトダイオードでも良い。また、転写材の下には基準白色版１３０３が配置される。入射角が０度、反射角が４５度の構成でも良い。更には、ＲＧＢ３色が発光するＬＥＤとフィルタ無しセンサにより構成しても良い。
【００５２】
図１４に本実施例での紙種検知センサによる紙種検知の処理の流れを示す。
【００５３】
電源立ち上げ時、またはプリント開始時に紙種検知センサ４１は転写材が搬送されていない状態で基準白色版１３０３を読み取る（１４１１）。基準白色版の読み取り値にはあらかじめ設定されている基準値があり、読み取り値と基準値とを比較し基準値からのずれ量を元に補正テーブルを作成する（１４１２）。基準値からのずれは計時変化によるＬＥＤやフィルタなどのセンサの各要素のばらつきなどによって起こる。
【００５４】
次に転写材が搬送されてくると、搬送を一時的に停止して転写材が停止した状態で検出領域を検出する（１４１３）。検出された結果に１４１２で作成された補正テーブルによって補正を行う（１４１４）。
【００５５】
次に補正されたＲＧＢ値を所定のマトリクスでＸＹＺ値に変換し（１４１５）、さらにＬ＊ａ＊ｂ＊値に変換する（１４１６）。
【００５６】
１４１７では変換されたＬ＊ａ＊ｂ＊値がａ＊ｂ＊平面上のどのエリアに位置するかを判断する。図１５はａ＊ｂ＊平面を表す。変換されたＬ＊ａ＊ｂ＊値が領域１（１５０１）内にある場合は転写材の色がイエロー系であり、領域２（１５０２）内にある場合は転写材の色がブルー系であることを意味する。１４１７では領域１にあるか、領域２にあるか、それ以外の領域にあるかを判断し、領域１にある場合はＧｒｏｕｐＣ、領域２にある場合はＧｒｏｕｐＡ、それ以外の領域にある場合は、ＧｒｏｕｐＢに分類する。
【００５７】
以上のようにして実施例２の紙種検知センサの処理が行われる。
【００５８】
本実施例での情報付加処理部の構成は実施例１と同様で、ＲＯＭ１２０８内にはイエロードット１１０１の強度を表すＡ１，Ａ２，Ａ３の３つの値が保持されており、それぞれ強度小、中、大を表す。付加強度信号は前記紙種検知センサ４１で検出した結果が、Ｇｒｏｕｐ  ＡならばＡ１、Ｇｒｏｕｐ  ＢならばＡ２、Ｇｒｏｕｐ  ＣならばＡ３を指定する。信号変換部１２０７は付加指定信号がＯＮの時には同時に入力される付加強度信号によってＡ１，Ａ２，Ａ３のいずれかを選択し、入力画像データに重畳する。
【００５９】
この結果、イエローの信号が検出しにくいイエロー系の色の転写材の場合には強度大で付加し、イエローの信号が目に付きやすいブルー系の色の転写材の場合には強度小で付加し、その他の色の転写材の場合には強度中で付加することになる。
【００６０】
以上の構成により、本発明の処理を行うことができる。なお、本実施例ではａ＊ｂ＊平面内での領域によって紙種のＧｒｏｕｐを分けたが、Ｌ＊ａ＊ｂ＊の３次元色空間内の領域によって紙種のＧｒｏｕｐを分けてもよい。
【００６１】
さらに、本実施例ではＬ＊ａ＊ｂ＊に変換して判定したが、ＲＧＢ、ＸＹＺ、Ｌ＊ｃ＊ｈ＊さらには別の色空間で転写材の色を判定してもよい。
【００６２】
さらに、本実施例では転写材の色の分類としてイエロー系、ブルー系の色のみを分類したが、他の色も分類してもよい。
【図面の簡単な説明】
【００６３】
【図１】本発明の第１、第２の実施例におけるカラー画像記録装置の印字部の構成を示す図である。
【図２】本発明の第１の実施例における紙種検知センサの外観を表わす図である。
【図３】本発明の第１の実施例における紙種検知センサの構成を表わす図である。
【図４】本発明の第１の実施例における紙種検知センサの画素を表わす図である。
【図５】本発明の第１の実施例における紙種検知の流れを表わす図である。
【図６】本発明の第１の実施例における紙種検知センサの画素のばらつきを表わす図である。
【図７】本発明の第１の実施例におけるローパスフィルタを表わす図である。
【図８】本発明の第１の実施例における周波数変換の結果の例を表わす図である。
【図９】本発明の第１、第２の実施例に信号処理部を表わす図である。
【図１０】本発明の第１、第２の実施例における付加情報を表わす図である。
【図１１】本発明の第１、第２の実施例におけるドット付加を表わす図である。
【図１２】本発明の第１、第２の実施例における情報付加処理部を表わす図である。
【図１３】本発明の第２の実施例における紙種検知センサの構成を表わす図である。
【図１４】本発明の第２の実施例における紙種検知の流れを表わす図である。
【図１５】本発明の第２の実施例における紙種検知の判定方法を表わす図である。
【符号の説明】
【００６４】
１１  転写材
２１  給紙部
２２  感光体、感光ドラム
２３  注入帯電手段
２４  スキャナ部
２５  トナーカートリッジ部
２６  現像手段
２７  中間転写体
２８  転写ローラ
２９  クリーニング手段
３０    定着装置
３１  定着ローラ
３２  加圧ローラ
３３、３４  ヒータ
４１  紙種検知センサ
９０８  情報付加処理部
１２０６  付加指定処理部
１２０７  信号変換部
【図１】
2006039025.tif 000003
【図２】
2006039025.tif 000004
【図３】
2006039025.tif 000005
【図４】
2006039025.tif 000006
【図５】
2006039025.tif 000007
【図７】
2006039025.tif 000008
【図８】
2006039025.tif 000009
【図９】
2006039025.tif 000010
【図１０】
2006039025.tif 000011
【図１１】
2006039025.tif 000012
【図１２】
2006039025.tif 000013
【図１３】
2006039025.tif 000014
【図１４】
2006039025.tif 000015
【図１５】
2006039025.tif 000016
【図６】
2006039025.tif 000017